(57)【要約】【課題】砕土作用幅を伸縮調整し、作物成長に応じて作物スペースを確保できる砕土均平ローラ装置を提供する。  【解決手段】左右支持ブラケット間の砕土ローラ枠体を、左右の基盤周辺から砕土ロッド群の自由端を内側に向けて放射状に配設した左右対の分割砕土ユニットで構成する。各分割砕土ユニットを軸着したローラ支持ブラケットの連結ベース部材を前記ビーム後端の本体ステーに対して水平方向へ取り付け位置可変に結合することができるようにする。分割砕土ユニットの砕土ロッド群中間付近を補強リング部材で一体結合する。本体ステーの軸方向に形成した複数のピン孔を選択してローラ支持ブラケットの連結ベース部材のピン孔を結合し、レバーによりロックピンを連結位置に係着する。【選択図】図２
2014008047.tif 000002
【特許請求の範囲】
【請求項１】
カルチベータの牽引横バーに連結される作業機搭載ビームの後端の左右支持ブラケット間にかご状砕土ローラを回転可能に装着したカルチベータ砕土均平ローラ装置において、前記左右支持ブラケット間の砕土ローラ枠体を、左右の基盤周辺から砕土ロッド群の自由端を内側に向けて放射状に配設した左右対の分割砕土ユニットで構成するとともに、各分割砕土ユニットを軸着したローラ支持ブラケットの連結ベース部材を前記ビーム後端の本体ステーに対して水平方向へ取り付け位置可変に結合することを特徴とする砕土均平ローラ装置の作用幅可変構造
【請求項２】
分割砕土ユニットの砕土ロッド群中間付近を補強リング部材で一体結合したことをさらに特徴とする請求項１記載の砕土均平ローラ装置の作用幅可変構造
【請求項３】
ローラ支持ブラケットの連結ベース部材と本体ステーの左右取り付け位置可変機構が、連結ベース部材に形成したピン孔と、このピン孔に対応させて本体ステーの軸方向に形成した複数のピン孔と、これら相互の対応ピン孔を連結するロックピンと、このロックピンを連結位置に係着するレバーを具備することを特徴とする請求項１又は２記載の砕土均平ローラ装置の作用幅可変構造
【発明の詳細な説明】
【技術分野】
【０００１】
本発明はトラクタ等に牽引されるカルチベータ砕土均平ローラ装置の改良に関し、詳細には作物の生育に応じて砕土作用幅を調整することができる構造の砕土均平ローラ装置に関する。
【背景技術】
【０００２】
トラクタ等に牽引して作業を行うカルチベータは、図  に例示するように、トラクタで牽引される横バーに沿って後方へ延びる複数のビームを並列に連結し、各々のビームの長手方向に培土器、深耕爪等の培土作業機を結合するとともにビーム後端のブラケットに砕土均平ローラ装置を取り付けられている。
このような構成になるカルチベータは,上記の各種作業機を取付けた隣り合うビーム間が作物育成の畝となり、深耕作業によって畝間に発生した土塊を砕土均平ローラ装置の外周ロッドの転動で砕き、均してゆくようになっている。
【先行技術文献】
【特許文献】
【０００３】
【特許文献１】特開２００３−２号公報
【発明の概要】
【発明が解決しようとする課題】
【０００４】
一般に上記カルチベータは並列ビームの間隔が一定幅に設定されているので、作物の生育初期段階では葉が小さく畝幅に空間が開けているが、作物が成長するにつれて葉が縦横に大きく広がり、畝幅空間を塞ぐようになる。
他方、従来の砕土均平ローラ装置は畝間の均し面を転動する作用幅が一定であるため、畝に沿って通過する際に転動している外周ロッドが成長した作物の葉を巻き込み、作物を傷めてしまうという問題があった。
【０００５】
このため従来は作物がある程度に成長すると砕土均平ローラ装置を取り外していたため、畝間の土塊が砕かれないまま残ってしまうという不都合があった。
【０００６】
作物の成長に合わせて作用幅の狭い砕土均平ローラ装置に組み替えることも考えられるが、そのためには作用幅の異なる各種の砕土均平ローラ装置を用意しておく必要があり、コスト高になるだけでなく、何よりも組み換え作業が著しく煩雑になり、実用に供し得ない。
【０００７】
したがって、本発明の目的は作物の成長に応じて簡単な操作で砕土作用幅を伸縮調整することにより、成長した畝上の作物スペースを確保し、作物を傷つけない構造の砕土均平ローラ装置を提供することにある。  
【課題を解決するための手段】
【０００８】
上記の目的を達成するために、本発明による砕土均平ローラ装置の作用幅可変構造は、カルチベータの牽引横バーに連結される作業機搭載ビームの後端の左右支持ブラケット間にかご状砕土ローラ枠体を回転可能に装着したカルチベータ砕土均平ローラ装置において、前記左右支持ブラケット間の砕土ローラ枠体を、左右の基盤周辺から砕土ロッド群の自由端を内側に向けて放射状に配設した左右対の分割砕土ユニットで構成するとともに、各分割砕土ユニットを軸着したローラ支持ブラケットの連結ベース部材を前記ビーム後端の本体ステーに対して水平方向へ取り付け位置可変に結合することを特徴とする。
【０００９】
好ましくは、分割砕土ユニットの砕土ロッド群中間付近を補強リング部材で一体結合し、砕土ロッド群が相互に支え合うようにする。
【００１０】
さらに、ローラ支持ブラケットの連結ベース部材と本体ステーの左右取り付け位置可変機構は、連結ベース部材に形成したピン孔と、このピン孔に対応させて本体ステーの軸方向に形成した複数のピン孔と、これら相互の対応ピン孔を連結するロックピンと、このロックピンを連結位置に係着するレバーで構成し、作業機ビーム後端の本体ステーに砕土ユニットをワンタッチで着脱できるようにしてもよい。
【発明の効果】
【００１１】
先端を自由端とした放射状外周ロッド群を有する左右分割砕土ローラのローラ支持ブラケットを、ビーム後端の本体ステーに沿って接近または離反させて位置可変に結合することにより、相対する放射状砕土ロッド全体の砕土作用幅が縮小又は伸長され、その結果、畝上の作物と砕土均平ローラ装置間の間隔は逆に伸長又は接近する。従って、作物の成長に合わせて作物が砕土均平ローラ装置によって干渉されないように制御することが可能になる。
【００１２】
分割砕土ユニットの砕土ロッド群中間付近を補強リング部材で一体結合することにより、分割された砕土ロッド群の各ロッドが従来と同等の線材であっても砕土・均平作業に充分な強度が保持される。
【００１３】
ロックピンを結合位置にレバーで係着させるようにすることにより、作業機の後端の本体ステーに分割砕土ユニットをワンタッチで着脱することが可能になる。
【図面の簡単な説明】
【００１４】
【図１】カルチベータの全体概略図
【図２】本発明の砕土均平ローラ装置を使用したカルチベータユニットの斜視図
【図３】図２のカルチベータユニット側面図
【図４】本発明による砕土均平ローラ装置の分解図
【図５】本発明による砕土均平ローラ装置の作用説明図
【図６】本発明による砕土均平ローラ装置の作用説明図
【図７】本発明による砕土均平ローラ装置の作用説明図
【発明を実施するための形態】
【００１５】
以下、本発明の実施例を添付の図面に基づいて説明する。
図１はカルチベータ全体の概略を示すもので、トラクタ（図は省略）に牽引される横バー１の後方に複数のカルチベータユニット２が所定の間隔で並列に連結されている。
図に例示したカルチベータユニット２は、図１、図２、図３に示すように、４点リンク３を介して連結されるビーム４に接地車輪５、培土器６、深耕培土溝切り器７などの作業機が搭載されているとともに、ビーム４後端の本体ステー８に砕土均平ローラ装置９が取付けられ、隣り合うカルチベータユニット２，２が作物を育成する畝を跨ぎ、砕土均平ローラ装置９が畝間に接地して畝間に発生する土塊を砕いて均すようになっている。
【００１６】
本発明の砕土均平ローラ装置９は，図２、図４に示すように、左右の支持ブラケット１０ａ，１０ｂ間に介在させる砕土ローラ枠体を横断方向に切り離して左右対の分割砕土ユニット１１ａ，１１ｂに構成するとともに、各分割砕土ユニット１１ａまたは１１ｂを軸着した左右ローラ支持ブラケット１０ａ及び１０ｂの各々の連結ベース１２ａ及び１２ｂを前記ビーム４の本体ステー８に対して水平方向へ取り付け位置可変に結合できるようにしてある。
【００１７】
すなわち、左右対の分割砕土ユニット１１ａ，１１ｂは、先端を自由端に形成した複数の砕土ロッド１３群を円形基盤１４の周辺に内側へ向けて放射状に配設したかご状枠体１５を有し、このかご状枠体１５の基盤１４の中央取付け部を回転支持軸１６，軸受部材１７、ボルト・ナット・ワッシャなどの結合部材（符号は省略）を介して前記ローラ支持ブラケット１０ａ，１０ｂの下部ピン孔１８に回転可能に軸着した構成を有している。
本発明の前記砕土均平ローラ装置９は、これら分割砕土ユニット１１ａ，１１ｂの砕土ロッド１３自由端を対向させ、左右ローラ支持ブラケット１０ａ，１０ｂ間に分割された砕土均平ローラが形成されるように構成されている。
【００１８】
ビーム４の後端に固定される前記本体ステー８は、図の実施例では断面が角形の中空の水平フレームからなり、左右両側に複数（図では各３個）の結合用ピン孔１９が軸方向に沿って所定間隔で形成されている。
他方、左右のローラ支持ブラケット１０ａ，１０ｂの上部には、前記本体ステー８に摺動可能に嵌合され、且つ、ローラ支持ブラケット１０ａ又は１０ｂの前記結合ピン孔１９に対応するピン孔２０を形成した連結ベース１２ａ，１２ｂが各々一体に固設されている。  
【００１９】
かくして、左右ローラ支持ブラケット１０ａ，１０ｂの連結ベース１２ａ，１２ｂのピン孔２０を本体ステー８の所望のピン孔１９に合わせてロックピン２１を装着することにより，左右分割砕土ユニット１１ａ，１１ｂが本体ステー８に結合され、本発明の砕土均平ローラ装置９の組付が完了するものであるが、左右分割砕土ユニット１１ａ，１１ｂは本体ステー８にスライドさせて位置変更可能に結合できるので、ピン孔１９の選択で左右左右分割砕土ユニット１１ａ，１１ｂを接近または離反方向へ移動させることにより、砕土均平ローラの作用幅を短縮方向または伸長方向へ調節することができる。このことは、カルチベータユニット２，２間の畝上の作物に対しては分割砕土ユニット１１ａ，１１ｂの離反または接近として作用し、作物の成長に合わせたスペース確保が可能になる。
【００２０】
なお、分割されたかご状枠体１５により、砕土ロッド１３群の先端が解放自由端となることから砕土ロッド１３群の作用強度が懸念される場合は図４のように砕土ロッド１３群を補強リング部材２２で一体結合してもよい。この場合は、補強リング部材２２は左右分割砕土ユニット１１ａ，１１ｂの必要な接近度を干渉しない位置に設ける。
【００２１】
本体ステー８と左右分割砕土ユニット１１ａ，１１ｂを結合するロックピン２１の頭部に弾性線材からなるレバー２３を設け、ロックピン２１による結合に際し、レバー２３の先端を本体ステー８に係合させてロックピン２１をロックし、且つ、ワンタッチで着脱できるようにすることが望ましい。
【００２２】
図の実施例では、分割砕土ユニット１１ａ，１１ｂの結合位置変更手段として本体ステー８の軸方向に複数のピン孔１９を形成する場合を示したが、他の手段、例えば長孔とボルト締め付けにより結合位置を無段階に変更できるように設定することもできる。
【００２３】
以上の構成により、作物の生育が初期段階の場合は，図５のように左右の分割砕土ユニット１１ａ，１１ｂを引き離して本体ステー８に結合すると、かご状枠体１５，１５の作用幅が拡張する。その結果、隣り合うカルチベータ２，２間の畝側の左右分割ユニット１１ａ，１１ｂ間は狭まるが、作物は生育初期のため干渉を受けない。
【００２４】
作物の生育が中段階になった時点では、図６のように左右の分割砕土ユニット１１ａ，１１ｂを接近させて結合するとかご状枠体の作用幅が縮小し、他方、隣り合うカルチベータ２，２間の畝側の左右分割ユニット１１ａ，１１ｂ間は広がるので、作物は干渉を受けない。
【００２５】
さらに作物生育が後期に至り葉茎が広がった時点では、図７のように左右の分割砕土ユニット１１ａ，１１ｂをさらに縮小させると作用幅がさらに縮小し、逆に、隣り合うカルチベータ２，２間の畝側の左右分割ユニット１１ａ，１１ｂ間はさらに広がるので、後期段階に成長した作物も干渉を受けることがない。
【産業上の利用可能性】
【００２６】
作物の成長に合わせて左右分割ユニット１１ａ，１１ｂの間隔を簡単に調節し、作物のスペースを適正に確保できるので干渉が阻止され、作物の生産に資する。
【符号の説明】
【００２７】
１…横バー
２…カルチベータユニット
３…４点リンク
４…ビーム
５…接地車輪
６…培土器
７…深耕培土溝切り器
８…本体ステー
９…砕土均平ローラ装置
１０ａ、１０ｂ…ローラ支持ブラケット
１１ａ、１１ｂ…分割砕土ユニット
１２ａ、１２ｂ…連結ベース
１３…砕土ロッド群
１４…基盤
１５…かご状枠体
１６…回転支軸
１７…軸受部材
１８…ピン孔
１９…結合用ピン孔
２０…ピン孔
２１…ロックピン
２２…補強リング部材
２３…レバー
【図１】
2014008047.tif 000003
【図２】
2014008047.tif 000004
【図３】
2014008047.tif 000005
【図４】
2014008047.tif 000006
【図５】
2014008047.tif 000007
【図６】
2014008047.tif 000008
【図７】
2014008047.tif 000009